【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
多数のスリットを形成された仕切板を２枚以上前後方向へ一列状に配置し、該仕切板同士の間のそれぞれにシート状フィルタエレメントを配置したフィルタ集合体を備えたオイルミスト捕集用フィルタにおいて、前記仕切板ごとに多数の前記スリットを左右方向へ単列状に配置すると共に、前記スリットのそれぞれを縦長となし、前記スリットがこれの形成された前記仕切板の長さ範囲内で形成されており、且つ、前後で隣接した前記仕切板同士における一方の仕切板のスリットと他方の仕切板のスリットとが前後方向上で重ならないように配置するとともに、１枚ごとの前記仕切板における前記スリットのそれぞれの有効開口面積を総合した全通気面積が前側の前記仕切板のそれよりも後側の前記仕切板のそれの方を小さくなされており、被処理気相流動体が前記フィルタ集合体内をこれの前側から後側へ流動することを特徴とするオイルミスト捕集フィルタ。
【請求項２】
前記スリットがこれの形成された前記仕切板の下端で開放されることにより、前記仕切板のスリット間箇所が櫛歯状にされていることを特徴とする請求項１記載のオイルミスト捕集フィルタ。
【請求項３】
前記フィルタ集合体を形成した複数の前記フィルタエレメントにおいて、１枚ごとの前記フィルタエレメントの目開きが前側の前記フィルタエレメントのそれよりも後側の前記フィルタエレメントのそれの方を小さくなされており、被処理気相流動体が前記フィルタ集合体内をこれの前側から後側へ流動することを特徴とする請求項１又は２記載のオイルミスト捕集フィルタ。
【請求項４】
前記仕切板が硬質材で形成され、前記フィルタエレメントが軟弾性材で形成されていることを特徴とする請求項１、２又は３記載のオイルミスト捕集フィルタ。
【請求項５】
前記フィルタ集合体の前面部及び又は後面部にシート状の前記フィルタエレメントを密接させたことを特徴とする請求項１、２、３又は４記載のオイルミスト捕集フィルタ。
【手続補正２】
【補正対象書類名】明細書
【補正対象項目名】０００５
【補正方法】変更
【補正の内容】
【０００５】
上記特許文献１に記載されたオイルミスト捕集フィルタにおいては、滴化して仕切板に付着した油粒の位置を通る垂直線上に該仕切板の通気孔が存在して該油粒の流下を妨げる現象が生じ、該現象がオイルミスト回収率を低下させる。
【手続補正３】
【補正対象書類名】明細書
【補正対象項目名】０００６
【補正方法】変更
【補正の内容】
【０００６】
また、特許文献１では、スペーサーは流動経路を長くする役目を担うものであって、オイルミストの収容はもっぱらフィルタエレメントの作用に拠るものである。このように特許文献１では、フィルタエレメントにオイルミストが溜まり、目詰まりし易いものである。
【手続補正４】
【補正対象書類名】明細書
【補正対象項目名】０００７
【補正方法】変更
【補正の内容】
【０００７】
一方、上記特許文献２に記載されたオイルミスト捕集用フィルタにおいては、フィルタエレメントを用いない為目詰まりの問題は生じないものの、フィルタエレメントに較べてオイルミストの捕集効率が上がらないものである。
【手続補正５】
【補正対象書類名】明細書
【補正対象項目名】０００８
【補正方法】変更
【補正の内容】
【０００８】
発明は斯かる実情の下、オイルミストの捕集効率を向上させる事ができ、且つ滴化して仕切板に付着した油粒の流下を円滑に行わせてフィルタエレメントの詰まりを防ぐ事ができるオイルミスト捕集フィルタを提供することを目的とする。
【手続補正６】
【補正対象書類名】明細書
【補正対象項目名】００１０
【補正方法】変更
【補正の内容】
【００１０】
また、請求項２に記載したように、前記スリットがこれの形成された前記仕切板の下端で開放されることにより、前記仕切板のスリット間箇所が櫛歯状にされていることを特徴とする。
【手続補正７】
【補正対象書類名】明細書
【補正対象項目名】００１１
【補正方法】変更
【補正の内容】
【００１１】
また請求項３に記載したように、前記フィルタ集合体を形成した複数の前記フィルタエレメントにおいて、１枚ごとの前記フィルタエレメントの目開きが前側の前記フィルタエレメントのそれよりも後側の前記フィルタエレメントのそれの方を小さくなされており、被処理気相流動体が前記フィルタ集合体内をこれの前側から後側へ流動する構成となす。
【手続補正８】
【補正対象書類名】明細書
【補正対象項目名】００１２
【補正方法】変更
【補正の内容】
【００１２】
また請求項４に記載したように、前記仕切板が金属やプラスチックなどの硬質材で形成され、前記フィルタエレメントが軟弾性材で形成されている構成となす。
【手続補正９】
【補正対象書類名】明細書
【補正対象項目名】００１３
【補正方法】変更
【補正の内容】
【００１３】
また請求項５に記載したように、前記フィルタ集合体の前面部及び又は後面部にシート状の前記フィルタエレメントを密接させた構成となす。
【手続補正１０】
【補正対象書類名】明細書
【補正対象項目名】００１４
【補正方法】変更
【補正の内容】
【００１４】
本発明によれば次のような効果が得られる。
即ち、請求項１記載のものによれば、各仕切板のスリット間個所が該仕切板の上下方向の全長に亘って連続した平面個所となるため、フイルタエレメント内で滴化し仕切板に付着した油粒の位置を通る垂直線上にスリットが存在しない状態となり、各仕切板に付着した油粒がスリットに遮られることなく円滑且つ的確に流下し、仕切板やフィルタエレメントの自浄作用がスムーズに働き、油粒によるフィルタエレメントの目詰まりが抑制されるととにも、被処理気相流動体が各仕切板を通過するごとにその流動を高速化され、各仕切板や各フィルタエレメントによる油粒などの慣性衝突捕集能力を後側の仕切板ほど前側のこれらよりも増大させて、仕切板や各フィルタエレメントによる油粒など捕集をフィルタ集合体の全体に分散させることができるのであり、各仕切板や各フィルタエレメントの自浄作用が増大されるものとなるため、各フィルタエレメントの目詰まりの進行を抑制して、各フィルタエレメントの連続使用時間を長期化させることができる。
【手続補正１１】
【補正対象書類名】明細書
【補正対象項目名】００１５
【補正方法】変更
【補正の内容】
【００１５】
請求項２記載のものによれば、油滴の伝わり落ちるスリット前面の経路を下に向かって直線状とすることができる。
【手続補正１２】
【補正対象書類名】明細書
【補正対象項目名】００１６
【補正方法】変更
【補正の内容】
【００１６】
請求項３記載のものによれば、被処理気相流動体が各フィルタエレメントを通過するごとに、各フィルタエレメントに衝突し得る被処理気相流動体中の油粒は順次に小さくなっていき、後側のフィルタエレメントほどこれによる油粒の慣性衝突捕集能力を増大されるものとなり、したがって複数のフィルタエレメントに捕集される油粒がその粒径の大きさごとにその対応するフィルタエレメントに捕集されて被処理気相流動体中の油粒などは全てのフィルタエレメントに分散されて捕集されるようになり、全体としての捕集効率が向上するほか、該分散によりフィルタエレメントの目詰まりの進行が一層抑制されフィルタエレメントの連続使用時間がさらに長期化されるものとなる。
【手続補正１３】
【補正対象書類名】明細書
【補正対象項目名】００１７
【補正方法】変更
【補正の内容】
【００１７】
請求項４記載のものによれば、仕切板が硬質材で形成されるため、仕切板の洗浄の際に仕切板にその変形を怖れることなく強い洗浄力を付与してそれに付着した油や塵埃を簡易迅速に洗い落とすことができるものとなり、また箱状の本体ケーシングなどにフィルタ集合体を収納したときに、フィルタ集合体をフィルタエレメントの弾性を利用して圧密状に収納できてガタツキなどの生じないものとなる。
【手続補正１４】
【補正対象書類名】明細書
【補正対象項目名】００１８
【補正方法】変更
【補正の内容】
【００１８】
請求項５記載のものによれば、フィルタ集合体の前面に密接されるフィルタエレメントによりフィルタ全体としてのオイルミスト捕集能力を簡易に増大させることができるのであり、またフィルタ集合体の後面に密接されたフィルタエレメントがこれを通過する被処理気相流動体の流速を低下させ該フィルタエレメントの捕集したオイルミストや塵埃などの再飛散を効果的に阻止するものとなる。